(57)【特許請求の範囲】
【請求項１】
ロープに取り付けられている第１のボール、又はロープに取り付けられていない第２のボールを用いるスイングチェッカーであって、
横バーにより一定間隔に保持させた脚部を備え、該脚部に取り付けられたキャスターにより移動可能な基台部と、
この基台部の後部側に立設させた背面柱部の上部から、前記基台部の上面を覆いかつ前記基台部の前部側を越えて張り出させた天井部を備え、該天井部の下面側に前記第１のボール又は前記第２のボールを移動させる自由空間が形成されるとともに、前記第１のボールを取り付けた前記ロープを前記天井部に支持させる支持フレーム部と、
前記基台部と前記支持フレーム部の前記天井部との間に立設させて前記天井部を支持する支柱部と、
この支柱部と前記支持フレーム部の前記天井部とからなる面部に張設されて前記支柱部の背面側に背面空間部を形成し、前記第１のボール又は前記第２のボールを受け止めて衝撃を吸収する遮蔽ネットと、
前記背面柱部と前記支柱部との間の前記背面空間部に設置され、前記遮蔽ネットと共通に開口されて前記第２のボールを取り込む第１の開口部とともに、この第１の開口部の下側に前記遮蔽ネットと共通に開口されて捕球されている前記第２のボールの取り出しが可能な第２の開口部を備える捕球ネットと、
前記支持フレーム部に取り付けられ、前記支持フレーム部の前記天井部に支持させた前記ロープを巻取り又はその巻戻しにより前記第１のボールの高さ調整を行うリール部と、
を備えることを特徴とするスイングチェッカー。
【請求項２】
請求項１に記載のスイングチェッカーにおいて、
前記遮蔽ネットに支持させた補強ネットが前記捕球ネットの背面側に配置されたことを特徴とするスイングチェッカー。
【請求項３】
請求項１に記載のスイングチェッカーにおいて、
前記第１のボールが取り付けられた前記ロープは、前記支持フレーム部の前頂中央部から垂下されるとともに、前記支持フレーム部に沿って前記支柱部に案内され、前記支柱部と前記支持フレーム部との間の横桟部に取り付けられた前記リール部に巻き取り可能に取り付けられていることを特徴とするスイングチェッカー。
【発明の詳細な説明】
【０００１】
【発明の属する技術分野】
本発明は、野球の打撃練習や打撃フォームの修正等に用いられるスイングチェッカーに関する。
【０００２】
【従来の技術】
従来、野球の打撃練習にはピッチングマシンが用いられ、スイングフォームのチェックは素振りやトスバッティング等によって行われる。
【０００３】
【発明が解決しようとする課題】
ところで、ピッチングマシンを用いた打撃練習は大掛かりであり、練習者全員にピッチングマシンを割り当てることは経済的でない。
【０００４】
また、スイングフォームのチェックを素振りで行う場合、ボールとの関係が希薄になるため、実際の打撃フォームを確認することが難しい。トスバッティングをコーチが行う場合には、トスを行うコーチの位置に視線が限定されるため、スイングの全容をチェックすることができない。また、協力者によるトスバッティングでは協力者を必要とし、その協力者とコーチとの連係が不可欠となる。
【０００５】
そこで、本発明は、スイングフォームのチェックを容易化したスイングチェッカーを提供することを課題とする。
【０００６】
【課題を解決するための手段】
本発明のスイングチェッカーは、ロープに取り付けられている第１のボール（ボール５０）、又はロープに取り付けられていない第２のボール（ボール５０以外のボール）を用いるスイングチェッカーであって、横バーにより一定間隔に保持させた脚部を備え、該脚部に取り付けられたキャスターにより移動可能な基台部と、この基台部の後部側に立設させた背面柱部の上部から、前記基台部の上面を覆いかつ前記基台部の前部側を越えて張り出させた天井部を備え、該天井部の下面側に前記第１のボール又は前記第２のボールを移動させる自由空間が形成されるとともに、前記第１のボールを取り付けた前記ロープを前記天井部に支持させる支持フレーム部と、前記基台部と前記支持フレーム部の前記天井部との間に立設させて前記天井部を支持する支柱部と、この支柱部と前記支持フレーム部の前記天井部とからなる面部に張設されて前記支柱部の背面側に背面空間部を形成し、前記第１のボール又は前記第２のボールを受け止めて衝撃を吸収する遮蔽ネットと、前記背面柱部と前記支柱部との間に設置され、前記遮蔽ネットと共通に開口されて前記第２のボールを取り込む第１の開口部とともに、この第１の開口部の下側に前記遮蔽ネットと共通に開口されて捕球されている前記第２のボールの取り出しが可能な第２の開口部を備える捕球ネットと、前記支持フレーム部に取り付けられ、前記支持フレーム部の前記天井部に支持させた前記ロープを巻取り又はその巻戻しにより前記第１のボールの高さ調整を行うリール部とを備える構成である。
また、このスイングチェッカーにおいて、好ましくは、前記遮蔽ネットに支持させた補強ネットが前記捕球ネットの背面側に配置された構成としてもよい。
【０００７】
即ち、リール部によってボールを所望の高さに調整でき、そのボールに対して実際の打撃と同様にバットを振り込むことができる。所望の高さのボールに対する打撃フォーム、打撃スイングのチェックをすることができる。ボールは、バットの振り込みによって飛翔するが、ロープにより飛翔範囲が規制されるとともに、支持フレーム部に張り付けられたネットに当たって練習者側に戻る。練習者は、静止させたボールを打ってもよく、復帰移動中のボールをピッチャーが投げたボールに見立てて打ってもよい。
【０００８】
本発明のスイングチェッカーにおいて、前記支柱部と前記支持フレーム部との間に載置された捕球ネット（６４）と、この捕球ネットに開口されて前記支柱部間に配置され、前記ボールとは別のボールが取り込まれる第１の開口部（６０）と、前記捕球ネットに開口され、捕獲された前記ボールの取り出しが可能な第２の開口部（６２）とを備えたことを特徴とする。即ち、このスイングチェッカーは、ロープを巻き込むことで、ボールを支持フレーム部の頂部側に固定し、支持フレーム部の自由空間を広げることができる。この状態で、支持フレーム部の側面部から協力者が打撃位置にトスしたボールを練習者が打ち込むことができる。そのボールを捕球ネットの第１の開口部を狙って打てば、最も効果的な練習ができ、その開口部から捕球ネット内にボールが捕獲される。捕球ネット内に捕獲されたボールは第２の開口部から容易に取り出すことができる。
【０００９】
本発明のスイングチェッカーにおいて、前記第１のボールが取り付けられた前記ロープは、前記支持フレーム部の前頂中央部から垂下されるとともに、前記支持フレーム部に沿って前記支柱部に案内され、前記支柱部と前記支持フレーム部との間の横桟部（横板３４）に取り付けられた前記リール部に巻き取り可能に取り付けられていることを特徴とする。
【００１０】
【発明の実施の形態】
以下、本発明の実施の形態を図面に示した実施例を参照して説明する。
【００１１】
図１〜図４は本発明のスイングチェッカーの実施例を示し、図１はその全容を示す斜視図、図２はその正面図、図３はその平面図、図４は遮蔽ネット及び捕球ネット部分を示す断面図、図５は使用状態を示す側面図である。
【００１２】
基台部２には前後方向に延びる一対の脚部４、６が設けられ、各脚部４、６間は横バー８、１０で橋絡されて一定間隔に保持されているとともに枠体として構成され、各脚部４、６の各端部の下面にキャスター１２が設けられて移動可能である。この基台部２の各脚部４、６の後部側から立設された支持フレーム部１４は背面柱部１６と天井部１８とから構成され、背面柱部１６は直立状であり、天井部１８は背面柱部１６から前方に拡開してなる傾斜面を構成し、天井部１８の下面には自由空間２０が形成されている。
【００１３】
この支持フレーム部１４は、背面柱部１６の上部に横バー２２が取り付けられているとともに、この横バー２２と平行に横バー２４が取り付けられ、これら横バー２２、２４によって一定間隔に保持されているとともに補強されている。また、脚部４、６の中間部と天井部１８との間には、支持フレーム部１４の背面柱部１６と平行に直立した支柱２６、２８が立設されて支持フレーム部１４の天井部１８が補強されている。この実施例の場合、端部固定位置が一致していることから、横バー１０、２４及び支柱２６、２８は、脚部４、６と支持フレーム部１４の天井部１８との間隔内で垂直面部を形成しているとともに、この垂直面部と背面柱部１６との間には背面空間部３２が形成されている。
【００１４】
また、支柱２６と背面柱部１６との中間部に取り付けられた横桟部としての横板３４にはリール部３６が取り付けられ、このリール部３６に端部が固定されたロープ３８がガイドリング４０、４２、４４、４６、４８を通して支柱２６の近傍から支持フレーム部１４に沿って導かれるとともに、支持フレーム部１４の前部中央から垂下され、その端部に合成樹脂等で形成されたボール５０が取り付けられている。即ち、ボール５０は、ロープ３８によって自由空間２０側に吊り下げられ、その高さは、自由空間２０外に設置されたリール部３６の巻き取り又は巻き戻しによって所望の位置に調整可能である。
【００１５】
そして、この実施例にあっては、支持フレーム部１４の横バー２４の前側の天井部１８には、遮蔽ネット５２が張り付けられ、横バー１０、２４及び支柱２６、２８にも同様に遮蔽ネット５４が張り付けられている。遮蔽ネット５４の中央上下部には、合成樹脂ロープ等で形成された円形のリング５６、楕円状のリング５８が縫い付けられて第１及び第２の開口部６０、６２が形成されているとともに、背面空間部３２に設置された捕球ネット６４が縫い付けられている。即ち、ボール５０とは別のボールが使用され、開口部６０に打ち込まれたそのボールは捕球ネット６４に捕球され、そのボールは開口部６２から取り出すことができる。また、遮蔽ネット５４には、図４に示すように、ボールの衝撃による磨耗防止のため、矩形の補強ネット６６が縫い付けられて付設されている。
【００１６】
このような構成によれば、このスイングチェッカーを所望の位置に移動して設置するとともに、ボール５０の下の所望の位置にベース板６８（図１）を設置し、図５に示すように、練習者はリール部３６によってロープ３８を巻き取り、又は巻き戻すことにより、ボール５０の高さを所望の位置に設定し、そのボール５０に対してバット７０を振り当てることによりバットスイングの練習及びチェックを行うことができる。
【００１７】
この場合、ベース板６８の設置位置又は練習者の立つ位置を前後左右に変更し、リール部３６の巻き上げ又は巻き戻しでボール５０の高さ調整をすることにより、練習者が必要とする所望の高さで、インコース、アウトコース等の所望のコースのボールに対するバットスイングを行うことができるとともに、そのチェックを行うことができ、特に、コーチは、練習者の前後又は左右の所望の角度からスイングを容易にしかも正確且つ安全にチェックすることができる。
【００１８】
また、ロープ３８とともにボール５０を揺らせることで、変化球を模擬した練習も可能である。
【００１９】
また、ロープ３８を巻き上げてボール５０を支持フレーム部１４の前頂部に固定した後、基台部２の側部から協力者がトスしたボールを練習者が開口部６０を的にして打ち込むことができる。開口部６０に打ち込まれたボールは捕球ネット６４に捕球され、そのボールは開口部６２から容易に取り出すことができる。
【００２０】
なお、この実施例のスイングチェッカーでは、単純な棒状の部材を以て強固な枠体が移動可能に構成されているが、より軽量化を図るには、横バー８、２４を省略してもよい。横バー２４を省略した場合には、横バー２４の位置で遮蔽ネット５２を支持する合成樹脂ロープを使用すればよい。
【００２１】
【発明の効果】
以上説明したように、本発明によれば、次の効果が得られる。
ａ  所望の高さに調整されたボールを自然な打撃スイングで打ち込むことができ、スイングフォームを正確にチェックすることができる。
ｂ  ロープで吊り下げられたボールを自由空間外から高さ調整することができ、安全に打撃練習を行うことができる。
ｃ  ロープで吊り下げられたボールは支持フレーム部の頂部側にロープを巻き上げて固定でき、支持フレーム部の側部からトスされたボールを打ち込むことができる。
ｄ  捕球ネット内に打ち込んだボールを捕獲することができ、そのボールを容易に取り出すことができ、安全且つ効率的な打撃練習を行うことができる。
【図面の簡単な説明】
【図１】本発明のスイングチェッカーの実施例を示す斜視図である。
【図２】スイングチェッカーの正面図である。
【図３】スイングチェッカーの平面図である。
【図４】遮蔽ネット及び捕球ネット部分を示す断面図である。
【図５】スイングチェッカーの側面図である。
【符号の説明】
２  基台部
１２  キャスター
１４  支持フレーム部
１８  天井部
２０  自由空間
２６、２８  支柱（支柱部）
３４  横板（横桟部）
３６  リール部
３８  ロープ
５０  ボール
５２、５４  遮蔽ネット（ネット）
６０  第１の開口部
６２  第２の開口部
６４  捕球ネット
【図１】
0003721317.tif 000002
【図２】
0003721317.tif 000003
【図３】
0003721317.tif 000004
【図４】
0003721317.tif 000005
【図５】
0003721317.tif 000006